(57)【特許請求の範囲】
【請求項１】
番組情報交換のための方法であって、
番組コメント指示を取得するステップと、
前記番組コメント指示に従って事前準備されたデータベースから現在の番組に関する情報を抽出するステップと、
前記情報が番組コメントアドレスを有する場合、ユーザが前記番組コメントアドレスに従って前記現在の番組に関するコメントを取得するか、又は前記現在の番組に関するコメントを行うように、前記番組コメントアドレスをユーザ装置の一部に送信するステップ、又は
前記情報が前記番組コメントアドレスを有しない場合、前記ユーザがサーバアドレスに従ってサーバとの接続を確立し、前記ユーザがユーザ装置を利用することによって前記現在の番組に関するコメントを行うことができるように、前記情報において前記サーバアドレスを前記ユーザ装置の一部に送信するステップと、
を有する方法。
【請求項２】
前記事前準備されたデータベースは、前記サーバが番組情報と番組オーディオ及びビデオストリームとをスクランブル化及び符号化した後に形成される番組ストリームを格納する、請求項１記載の番組情報交換のための方法。
【請求項３】
前記情報が番組コメントアドレスを有する場合、前記番組コメントアドレスをユーザ装置の一部に送信するステップの前に、当該方法は更に、
前記ユーザ装置に対するパーミッション認証を実行し、パーミッション認証をパスしたユーザ装置のみと通信するステップを有する、請求項１記載の番組情報交換のための方法。
【請求項４】
前記番組コメント指示を取得するステップの前に、当該方法は更に、
ユーザが視聴する必要がある番組を示すのに用いられる番組指示を取得するステップと、
前記番組指示に従って前記事前準備されたデータベースから対応する番組オーディオ及びビデオストリームを抽出するステップと、
前記オーディオ及びビデオストリームに対してデスクランブル化及び復号化を実行するステップと、
前記デスクランブル化及び復号化されたオーディオ及びビデオストリームを出力するステップと、
を有する、請求項１又は２記載の番組情報交換のための方法。
【請求項５】
番組情報交換のための装置であって、
処理モジュールと、前記処理モジュールにそれぞれ接続される取得モジュールとネットワークモジュールとを有し、
前記取得モジュールは、番組コメント指示を取得するよう構成され、
前記処理モジュールは、前記番組コメント指示に従って事前準備されたデータベースから現在の番組に関する情報を抽出し、前記現在の番組に関する情報が番組コメントアドレスを有するか判断するよう構成され、
前記ネットワークモジュールは、前記情報が前記番組コメントアドレスを有する場合、ユーザが前記番組コメントアドレスに従って前記現在の番組に関するコメントを取得するか、又は前記現在の番組に関するコメントを行うように、前記番組コメントアドレスをユーザ装置の一部に送信するよう構成されるか、又は前記情報が前記番組コメントアドレスを有しない場合、ユーザ装置がサーバアドレスに従ってサーバとの接続を確立し、前記ユーザが前記ユーザ装置を利用することによって前記現在の番組に関するコメントを行うことを可能にするように、前記情報において前記サーバアドレスを前記ユーザ装置に送信するよう構成される装置。
【請求項６】
前記事前準備されたデータベースは、前記サーバが番組情報と番組オーディオ及びビデオストリームとをスクランブル化及び符号化した後に形成される番組ストリームを格納する、請求項５記載の番組情報交換のための装置。
【請求項７】
前記ユーザ装置に対するパーミッション認証を実行し、パーミッション認証をパスしたユーザ装置のみと通信するよう構成される認証モジュールを更に有する、請求項５記載の番組情報交換のための装置。
【請求項８】
前記取得モジュールは更に、前記ユーザが視聴する必要がある番組を示すのに用いられる番組指示を取得するよう構成され、
前記処理モジュールは更に、前記番組指示に従って前記事前準備されたデータベースから対応する番組オーディオ及びビデオストリームを抽出するよう構成され、
当該番組情報交換のための装置は更に、
前記オーディオ及びビデオストリームに対してデスクランブル化及び復号化を実行するよう構成されるデスクランブル化及び復号化モジュールと、
前記デスクランブル化及び復号化されたオーディオ及びビデオストリームを出力するよう構成される出力モジュールと、
を有する、請求項５又は６記載の番組情報交換のための装置。
【請求項９】
番組コメント指示を取得した後、前記番組コメント指示に従って事前準備されたデータベースから現在の番組に関する情報を抽出し、前記情報が番組コメントアドレスを有する場合、ユーザが前記番組コメントアドレスに従って前記現在の番組に関するコメントを取得するか、又は前記現在の番組に関するコメントを行うように、前記番組コメントアドレスをユーザ装置の一部に送信するか、又は前記情報が前記番組コメントアドレスを有しない場合、ユーザ装置がサーバアドレスに従ってサーバとの接続を確立し、前記ユーザが前記ユーザ装置を利用することによって前記現在の番組に関するコメントを行うことを可能にするように、前記情報において前記サーバアドレスを前記ユーザ装置の一部に送信するよう構成される番組情報交換のための装置と、
前記ユーザが前記番組コメントアドレスに従って前記現在の番組に関するコメントを取得するか、又は前記現在の番組に関するコメントを行うように、前記番組情報交換のための装置から前記番組コメントアドレスを受信するか、又は前記番組情報交換のための装置から前記サーバアドレスを受信し、前記サーバアドレスに従って前記サーバとの接続を確立し、前記ユーザが前記ユーザ装置を利用することによって前記現在の番組に関するコメントを行うことを可能にするよう構成される前記ユーザ装置と、
前記ユーザ装置との接続を確立し、前記ユーザが前記ユーザ装置を利用することによって前記現在の番組に関するコメントを行うことを可能にするよう構成される前記サーバと、
を有する通信システム。
【請求項１０】
前記番組情報交換のための装置は更に、前記ユーザ装置に対するパーミッション認証を実行し、パーミッション認証をパスしたユーザ装置のみと通信するよう構成される、請求項９記載の通信システム。
【請求項１１】
前記番組情報交換のための装置は更に、前記ユーザが視聴する必要がある番組を示すのに利用される番組指示を取得した後、前記番組指示に従って前記事前準備されたデータベースから対応する番組オーディオ及びビデオストリームを抽出し、前記オーディオ及びビデオストリームに対してデスクランブル化及び復号化を実行し、前記デスクランブル化及び復号化されたオーディオ及びビデオストリームを出力するよう構成される、請求項９記載の通信システム。
【発明の詳細な説明】
【技術分野】
【０００１】
本出願は、参照することによりその全体がここに援用される、２０１２年３月１２日に中国特許庁に出願された中国特許出願第２０１２１００６３５５８．５号“ＭＥＴＨＯＤ  ＡＮＤ  ＡＰＰＡＲＡＴＵＳ  ＦＯＲ  ＰＲＯＧＲＡＭ  ＩＮＦＯＲＭＡＴＩＯＮ  ＥＸＣＨＡＮＧＥ  ＡＮＤ  ＣＯＭＭＵＮＩＣＡＴＩＯＮＳ  ＳＹＳＴＥＭ”に対する優先権を主張する。
【０００２】
本発明は、通信分野に関し、特に番組情報交換のための方法及び装置並びに通信システムに関する。
【背景技術】
【０００３】
近年、インターネット及びホームワイヤレスネットワークが大変普及してきた。携帯電話によって無線ネットワーク機能により表されると、多くのドメスティックなマルチメディアプロダクトはワイヤレスルータを介しホームネットワークに接続し、インターネットにアクセス可能である。インターネットプロトコルテレビ（Ｉｎｔｅｒｎｅｔ  Ｐｒｏｔｏｃｏｌ  Ｔｅｌｅｖｉｓｉｏｎ，ＩＰＴＶ）技術の急速な発展及び促進によって、ますます多くの人々がインターネットプロトコルテレビを利用し始めている。インターネットプロトコルテレビは、デジタルテレビ番組を受信する基本機能を有する一方、さらにインタラクションのためのサービス及びデジタルテレビに関するコメントを有する。
【０００４】
しかしながら、現在、インタラクションのためのサービス及びデジタルテレビに関するコメントの処理は大変複雑である。例えば、インタラクションのためのサービス及びインターネットプロトコルテレビのコメントのため、ユーザは、入力のための外部キーボードを接続するか、又はリモコンを利用することによって入力を選択する必要がある。更なるデバイスが追加される必要があるか、又は入力が不便であり、これは、インタラクションの発展及びデジタルテレビ番組の交換を制限し、ユーザのイニシアチブは高くない。
【発明の概要】
【発明が解決しようとする課題】
【０００５】
本発明の実施例は、番組情報交換のための方法及び装置並びに通信システムを提供し、ユーザがユーザ装置の一部を利用することによって、外部の入力デバイスを追加することなく現在視聴している番組に関するコメントをすることを可能にすることである。
【課題を解決するための手段】
【０００６】
上記課題を解決するため、以下の技術的手段が本発明の実施例において採用される。
【０００７】
一態様によると、本発明の実施例は、番組情報交換のための方法であって、
番組コメント指示を取得するステップと、
前記番組コメント指示に従って事前準備されたデータベースから現在の番組に関する情報を抽出するステップと、
前記情報が番組コメントアドレスを有する場合、ユーザが前記番組コメントアドレスに従って前記現在の番組に関するコメントを取得するか、又は前記現在の番組に関するコメントを行うように、前記番組コメントアドレスをユーザ装置の一部に送信するステップ、又は
前記情報が前記番組コメントアドレスを有しない場合、前記ユーザがサーバアドレスに従ってサーバとの接続を確立し、前記ユーザがユーザ装置を利用することによって前記現在の番組に関するコメントを行うことができるように、前記情報において前記サーバアドレスを前記ユーザ装置の一部に送信するステップと、
を有する方法を提供する。
【０００８】
一態様によると、本発明の実施例は、番組情報交換のための装置であって、
処理モジュールと、前記処理モジュールにそれぞれ接続される取得モジュールとネットワークモジュールとを有し、
前記取得モジュールは、番組コメント指示を取得するよう構成され、
前記処理モジュールは、前記番組コメント指示に従って事前準備されたデータベースから現在の番組に関する情報を抽出し、前記現在の番組に関する情報が番組コメントアドレスを有するか判断するよう構成され、
前記ネットワークモジュールは、前記情報が前記プログラムコメントアドレスを有する場合、ユーザが前記プログラムコメントアドレスに従って前記現在の番組に関するコメントを取得するか、又は前記現在の番組に関するコメントを行うように、前記番組コメントアドレスをユーザ装置の一部に送信するよう構成されるか、又は前記情報が前記番組コメントアドレスを有しない場合、ユーザ装置がサーバアドレスに従ってサーバとの接続を確立し、前記ユーザが前記ユーザ装置を利用することによって前記現在の番組に関するコメントを行うことを可能にするように、前記情報において前記サーバアドレスを前記ユーザ装置に送信するよう構成される装置を提供する。
【０００９】
一態様によると、本発明の実施例は、通信システムであって、
番組コメント指示を取得した後、前記番組コメント指示に従って事前準備されたデータベースから現在の番組に関する情報を抽出し、前記情報が番組コメントアドレスを有する場合、ユーザが前記番組コメントアドレスに従って前記現在の番組に関するコメントを取得するか、又は前記現在の番組に関するコメントを行うように、前記番組コメントアドレスをユーザ装置の一部に送信するか、又は前記情報が前記番組コメントアドレスを有しない場合、ユーザ装置がサーバアドレスに従ってサーバとの接続を確立し、前記ユーザが前記ユーザ装置を利用することによって前記現在の番組に関するコメントを行うことを可能にするように、前記情報において前記サーバアドレスを前記ユーザ装置の一部に送信するよう構成される番組情報交換のための装置と、
前記ユーザが前記番組コメントアドレスに従って前記現在の番組に関するコメントを取得するか、又は前記現在の番組に関するコメントを行うように、前記番組情報交換のための装置から前記番組コメントアドレスを受信するか、又は前記番組情報交換のための装置から前記サーバアドレスを受信し、前記サーバアドレスに従って前記サーバとの接続を確立し、前記ユーザが前記ユーザ装置を利用することによって前記現在の番組に関するコメントを行うことを可能にするよう構成される前記ユーザ装置と、
前記ユーザ装置との接続を確立し、前記ユーザが前記ユーザ装置を利用することによって前記現在の番組に関するコメントを行うことを可能にするよう構成される前記サーバと、
を有する通信システムを提供する。
【発明の効果】
【００１０】
本発明の実施例により提供される番組情報交換のための方法及び装置並びに通信システムでは、番組コメント指示が取得された後、現在の番組に関する情報が番組コメント指示に従って事前準備されたデータベースから抽出され、当該情報が番組コメントアドレスを含む場合、ユーザが番組コメントアドレスに従って現在の番組に関するコメントを取得するか、又は現在の番組に関するコメントを行うように、番組コメントアドレスがユーザ装置の一部に送信されるか、又は当該情報が番組コメントアドレスを含まない場合、ユーザ装置がサーバアドレスに従ってサーバとの接続を確立し、これにより、ユーザがユーザ装置を利用することによって現在の番組に関するコメントを行うことを可能にするように、当該情報においてサーバアドレスがユーザ装置の一部に送信される。当該手段によって、ユーザは、外部の入力デバイスを追加することなく、現在視聴されている番組に関するコメントをユーザ装置を利用することによって行うことが可能である。
【図面の簡単な説明】
【００１１】
本発明の実施例又は従来技術の技術的手段をより明確に説明するため、以下において実施例又従来技術を説明するのに必要とされる添付した図面が簡単に紹介される。明らかに、以下の説明における添付した図面は、本発明の一部の実施例を単に示すものであり、当業者は、創作的な努力なくこれらの添付した図面に従って他の図面を依然として導出してもよい。
【図１】図１は、本発明の実施例による番組情報交換のための方法の第１の概略的なフローチャートである。
【図２】図２は、本発明の実施例による番組情報交換のための方法の第２の概略的なフローチャートである。
【図３】図３は、本発明の実施例による番組情報交換のための装置の第１の概略的な構成図である。
【図４】図４は、本発明の実施例による番組情報交換のための装置の第２の概略的な構成図である。
【図５】図５は、本発明の実施例による番組情報交換のための装置の第３の概略的な構成図である。
【図６】図６は、本発明の実施例による通信システムの概略的な構成図である。
【発明を実施するための形態】
【００１２】
以下の説明において、本発明を完全に理解するため、限定的でなく例示的に、具体的なシステム構成、インタフェース及び技術などの具体的な詳細が説明される。しかしながら、当業者は、本発明がまたこれらの具体的な詳細なく他の実施例において実現されてもよいことを理解すべきである。他のケースでは、周知な装置、回路及び方法の詳細な説明は、不要な詳細が本発明の説明を妨げることを回避するため説明されない。
【００１３】
ユーザ装置の一部とは、無線端末や有線端末であってもよい。無線端末は、ユーザとの音声及び／又はデータ接続を提供する装置、無線接続機能を備えた携帯装置又はワイヤレスモデムに接続される他の処理装置を表すものであってもよい。無線端末は、無線アクセスネットワーク（Ｒａｄｉｏ  Ａｃｃｅｓｓ  Ｎｅｔｗｏｒｋ，ＲＡＮなど）によって１以上のコアネットワークと通信可能である。無線端末は、パーソナル通信サービス（Ｐｅｒｓｏｎａｌ  Ｃｏｍｍｕｎｉｃａｔｉｏｎ  Ｓｅｒｖｉｃｅ，ＰＣＳ）電話、コードレス電話、ＳＩＰ（Ｓｅｓｓｉｏｎ  Ｉｎｉｔｉａｔｉｏｎ  Ｐｒｏｔｏｃｏｌ）電話セット、無線ローカルループ（Ｗｉｒｅｌｅｓｓ  Ｌｏｃａｌ  Ｌｏｏｐ，ＷＬＬ）ステーションやパーソナルデジタルアシスタント（Ｐｅｒｓｏｎａｌ  Ｄｉｇｉｔａｌ  Ａｓｓｉｓｔａｎｔ，ＰＤＡ）など、無線アクセスネットワークと音声及び／又はデータを交換するポータブル、ポケット、携帯、ビルトインコンピュータ又は車両搭載モバイル装置などのモバイル端末を備えたコンピュータや携帯電話（又は“セルラ”フォンとして参照される）などのモバイル端末であってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ａｐｐａｒａｔｕｓ）又はユーザ装置（Ｕｓｅｒ  Ｅｑｕｉｐｍｅｎｔ）の一部として参照されてもよい。
【００１４】
本発明の実施例は、番組情報交換のための方法を提供する。図１に示されるように、本方法は以下を含む。
【００１５】
Ｓ１０１：番組情報交換のための装置が番組コメント指示を取得する。
【００１６】
一例として、番組情報交換のための装置が番組コメント指示を取得する方法は、番組情報交換のための装置が、リモコンなどの制御装置を利用することによってユーザにより入力された番組コメント指示を受信することであってもよい。
【００１７】
ユーザがテレビ番組を視聴しているとき、ユーザが現在の番組に関するコメントを行いたいか、又は現在の番組に関して他人によってどのようなコメントが行われているか知りたい場合、ユーザは、リモコンなどの制御装置を利用することによって番組コメント指示を入力できる。例えば、番組コメントボタンがリモコンに設定されてもよく、ユーザは、事前準備されたデータベースから現在の番組に関する情報を抽出するよう番組情報交換のための装置をトリガするため、番組コメントボタンを押下するだけで番組コメント指示を送信できる。
【００１８】
Ｓ１０２：番組情報交換のための装置は、番組コメント指示に従って事前準備されたデータベースから現在の番組に関する情報を抽出する。
【００１９】
ここで事前準備されたデータベースを説明する必要がある。事前準備されたデータベースは、例えば、ブロードキャストテレビネットワーク端末などのサーバエンド上に格納されてもよい。サーバは、番組オーディオ及びビデオストリームと、番組名、エピソード、コメントアドレス及びサーバアドレスなどの番組関連情報とを一緒にパッケージ化し、当該パッケージを有線又は無線によりブロードキャストする。本発明の実施例において説明されるパッケージングは、信号伝送要求を充足するため圧縮されたファイルのためのデータグループ化を実行することを表す。
【００２０】
その後、番組コメント指示を取得した後、番組情報交換のための装置は、事前準備されたデータベースから現在の番組に関する番組名、エピソード、コメントアドレス、サーバアドレスなどを含む情報を抽出する。
【００２１】
Ｓ１０３：当該情報が番組コメントアドレスを有する場合、番組情報交換のための装置は、ユーザが番組コメントアドレスに従って現在の番組に関するコメントを取得するか、又は現在の番組に関するコメントを行うように、番組コメントアドレスをユーザ装置の一部に送信する。
【００２２】
現在の番組に関する情報を抽出した後、番組情報交換のための装置は、当該情報が番組コメントアドレスを含むか判断する。当該情報が番組コメントアドレスを含む場合、番組情報交換のための装置は、例えば、ワイヤレスルータを介しユーザ装置に番組コメントアドレスを送信するなど、番組コメントアドレスをユーザ装置に送信する。番組情報交換のための装置から番組コメントアドレスを受信した後、ユーザ装置は、番組コメントアドレスに従って関連するウェブページに接続できる。その後、ユーザ装置を利用するユーザは、ユーザ装置を利用することによって、現在の番組に関するコメントを取得するか、又は現在の番組に関するコメントを行ってもよい。
【００２３】
番組情報交換のための装置は、全てのユーザ装置に番組コメントアドレスを送信するとは限らないことが補完されるべきである。番組情報交換のための装置は、ユーザ装置に対してパーミッション認証を実行し、その後、パーミッション認証をパスしたユーザ装置のみと通信する。例えば、番組情報交換のための装置は、当該装置についてパーミッション認証を１回実行し、当該装置がスイッチオンされると、ユーザ装置との接続を確立し、その後、番組コメントアドレスをユーザ装置に送信してもよい。
【００２４】
Ｓ１０４：当該情報が番組コメントアドレスを有しない場合、番組情報交換のための装置は、ユーザがサーバアドレスに従ってサーバとの接続を確立し、ユーザがユーザ装置を利用することによって前記現在の番組に関するコメントを行うことができるように、当該情報においてサーバアドレスをユーザ装置の一部に送信する。
【００２５】
現在の番組に関する情報を抽出した後、番組情報交換のための装置は、当該情報が番組コメントアドレスを含むか判断する。当該情報が番組コメントアドレスを含まない場合、番組情報交換のための装置は、当該情報においてサーバアドレスをユーザ装置に送信する。同様に、サーバアドレスは、ワイヤレスルータを介しユーザ装置に送信可能である。番組情報交換のための装置からサーバアドレスを受信した後、ユーザ装置はサーバアドレスに従ってサーバに接続し、サーバは番組のためのコメントコミュニティを作成する。その後、ユーザ装置を利用するユーザは、ユーザ装置を利用することによって、現在の番組に関するコメントを行うことができる。さらに、サーバは、新たに確立された番組コメントアドレスを番組に関する情報に格納し、当該情報を事前準備されたデータベースに格納する。
【００２６】
本発明の実施例において、ステップＳ１０３及びステップＳ１０４は何れの順序で実行されてもよいことに留意すべきである。ステップＳ１０３は、情報が番組コメントアドレスを含むケースを説明し、ステップＳ１０４は、情報が番組コメントアドレスを含まず、時間順序に制約がないケースを説明する。
【００２７】
本発明の実施例により提供される番組情報交換のための方法では、番組コメント指示が取得された後、現在の番組に関する情報が番組コメント指示に従って事前準備されたデータベースから抽出され、当該情報が番組コメントアドレスを含む場合、ユーザが番組コメントアドレスに従って現在の番組に関するコメントを取得するか、又は現在の番組に関するコメントを行うように、番組コメントアドレスがユーザ装置の一部に送信されるか、又は当該情報が番組コメントアドレスを含まない場合、ユーザ装置がサーバアドレスに従ってサーバとの接続を確立し、これにより、ユーザがユーザ装置を利用することによって現在の番組に関するコメントを行うことを可能にするように、当該情報においてサーバアドレスがユーザ装置の一部に送信される。当該手段によって、ユーザは、外部の入力デバイスを追加することなく、現在視聴されている番組に関するコメントをユーザ装置を利用することによって行うことが可能である。
【００２８】
本発明の実施例は、番組情報交換のための方法を提供する。図２に示されるように、本方法は以下を含む。
【００２９】
Ｓ２０１：番組情報交換のための装置は、ユーザ装置の一部に対するパーミッション認証を実行し、パーミッション認証をパスしたユーザ装置のみと通信する。
【００３０】
一例として、番組情報交換のための装置は、当該装置がスイッチオンされると、ユーザ装置に対するパーミッション認証を実行し、ユーザ装置との接続を確立し、その後、パーミッション認証をパスしたユーザ装置のみと通信してもよい。
【００３１】
本発明の実施例では、番組情報交換のための装置がユーザ装置に対するパーミッション認証を実行することが、番組情報交換のための方法の第１ステップとなるよう設定されることは、単なる好適な手段である。すなわち、番組情報交換のための装置は、パーミッション認証を１回のみ実行し、スイッチオンされると、ユーザ装置との接続を確立することが好適な手段である。しかしながら、具体的な実現方法はこれに限定されない。情報交換のための装置はまた、ユーザ装置に情報を送信する必要があるときにパーミッション認証を実行してもよく、本発明の実施例により限定されるものでない。
【００３２】
Ｓ２０２：番組情報交換のための装置は、ユーザが視聴する必要がある番組を示すのに用いられる番組指示を取得する。
【００３３】
一例として、番組情報交換のための装置が番組指示を取得する方法は、番組情報交換のための装置がリモコンなどの制御装置を利用することによってユーザにより入力されたユーザが視聴したい番組を示すのに利用される番組指示を受信することであってもよい。
【００３４】
Ｓ２０３：番組情報交換のための装置は、番組指示に従って事前準備されたデータベースから対応する番組オーディオ及びビデオストリームを抽出する。
【００３５】
番組指示を取得した後、番組情報交換のための装置は、事前準備されたデータベースから対応する番組オーディオ及びビデオストリームを抽出する。以前の実施例では、サーバが番組オーディオ及びビデオストリームと、番組名、エピソード、コメントアドレス及びサーバアドレスなどの番組関連情報とを一緒にパッケージ化し、当該パッケージを有線又は無線によりブロードキャストすることが指摘される。その後、番組情報交換のための装置は、対応する番組オーディオ及びビデオストリームを抽出してもよい。
【００３６】
Ｓ２０４：番組情報交換のための装置は、オーディオ及びビデオストリームに対してデスクランブル化及び復号化を実行する。
【００３７】
サーバは、番組オーディオ及びビデオストリームと番組関連情報とをパッケージ化する際、パッケージ化されたファイルに対してスクランブル化及び符号化を実行してもよい。すなわち、事前準備されたデータベースは、サーバが番組情報と番組オーディオ及びビデオストリームをスクランブル化及び符号化した後に形成される番組ストリームを格納する。例えば、支払が必要となる一部の番組は、デスクランブル化及び復号化後に始めて視聴可能となる。従って、番組情報交換のための装置は、抽出されたオーディオ及びビデオストリームに対してデスクランブル化及び復号化を実行する。
【００３８】
Ｓ２０５：番組情報交換のための装置は、デスクランブル化及び復号化されたオーディオ及びビデオストリームを出力する。
【００３９】
オーディオ及びビデオストリームに対するデスクランブル化及び復号化の実行後、番組情報交換のための装置は、デスクランブル化及び復号化されたオーディオ及びビデオストリームを出力し、特にユーザがディスプレイ装置を介し番組を視聴できるように、テレビ装置などのディスプレイ装置に出力してもよい。
【００４０】
Ｓ２０６：番組情報交換のための装置は、番組コメント指示を取得する。
【００４１】
ユーザがテレビ番組を視聴しているとき、ユーザが現在の番組に関するコメントを行いたいか、又は現在の番組に関して他人によってどのようなコメントが行われているか知りたい場合、ユーザは、リモコンなどの制御装置を利用することによって番組コメント指示を入力できる。例えば、番組コメントボタンがリモコンに設定されてもよく、ユーザは、事前準備されたデータベースから現在の番組に関する情報を抽出するよう番組情報交換のための装置をトリガするため、番組コメントボタンを押下するだけで番組コメント指示を送信できる。
【００４２】
Ｓ２０７：番組情報交換のための装置は、番組コメント指示に従って事前準備されたデータベースから現在の番組に関する情報を抽出する。
【００４３】
番組コメント指示を取得した後、番組情報交換のための装置は、事前準備されたデータベースから現在の番組に関する番組名、エピソード、コメントアドレス、サーバアドレスなどを含む情報を抽出する。
【００４４】
Ｓ２０８：当該情報が番組コメントアドレスを有する場合、番組情報交換のための装置は、ユーザが番組コメントアドレスに従って現在の番組に関するコメントを取得するか、又は現在の番組に関するコメントを行うように、番組コメントアドレスをユーザ装置に送信する。
【００４５】
現在の番組に関する情報を抽出した後、番組情報交換のための装置は、当該情報が番組コメントアドレスを含むか判断する。当該情報が番組コメントアドレスを含む場合、番組情報交換のための装置は、例えば、ワイヤレスルータを介しユーザ装置に番組コメントアドレスを送信するなど、番組コメントアドレスをユーザ装置に送信する。番組情報交換のための装置から番組コメントアドレスを受信した後、ユーザ装置は、番組コメントアドレスに従って関連するウェブページに接続できる。その後、ユーザ装置を利用するユーザは、ユーザ装置を利用することによって、現在の番組に関するコメントを取得するか、又は現在の番組に関するコメントを行ってもよい。
【００４６】
Ｓ２０９：当該情報が番組コメントアドレスを有しない場合、番組情報交換のための装置は、ユーザがサーバアドレスに従ってサーバとの接続を確立し、ユーザがユーザ装置を利用することによって前記現在の番組に関するコメントを行うことができるように、当該情報においてサーバアドレスをユーザ装置に送信する。
【００４７】
現在の番組に関する情報を抽出した後、番組情報交換のための装置は、当該情報が番組コメントアドレスを含むか判断する。当該情報が番組コメントアドレスを含まない場合、番組情報交換のための装置は、当該情報においてサーバアドレスをユーザ装置に送信する。同様に、サーバアドレスは、ワイヤレスルータを介しユーザ装置に送信可能である。番組情報交換のための装置からサーバアドレスを受信した後、ユーザ装置はサーバアドレスに従ってサーバに接続し、サーバは番組のためのコメントコミュニティを作成する。その後、ユーザ装置を利用するユーザは、ユーザ装置を利用することによって、現在の番組に関するコメントを行うことができる。さらに、サーバは、新たに確立された番組コメントアドレスを番組に関する情報に格納し、当該情報を事前準備されたデータベースに格納する。
【００４８】
同様に、本発明の実施例では、ステップＳ２０８及びステップＳ２０９は何れの順序で実行されてもよい。ステップＳ２０８は、情報が番組コメントアドレスを含むケースを説明し、ステップＳ２０９は、情報が番組コメントアドレスを含まないケースを説明する。従って、時間順序について制約はない。
【００４９】
本発明の実施例により提供される番組情報交換のための方法では、番組コメント指示が取得された後、現在の番組に関する情報が番組コメント指示に従って事前準備されたデータベースから抽出され、当該情報が番組コメントアドレスを含む場合、ユーザが番組コメントアドレスに従って現在の番組に関するコメントを取得するか、又は現在の番組に関するコメントを行うように、番組コメントアドレスがユーザ装置の一部に送信されるか、又は当該情報が番組コメントアドレスを含まない場合、ユーザ装置がサーバアドレスに従ってサーバとの接続を確立し、これにより、ユーザがユーザ装置を利用することによって現在の番組に関するコメントを行うことを可能にするように、当該情報においてサーバアドレスがユーザ装置の一部に送信される。当該手段によって、ユーザは、外部の入力デバイスを追加することなく、現在視聴されている番組に関するコメントをユーザ装置を利用することによって行うことが可能である。
【００５０】
本発明の実施例は、番組情報交換のための装置１を提供する。図３に示されるように、当該装置は、処理モジュール１１と、処理モジュール１１にそれぞれ接続される取得モジュール１０とネットワークモジュール１２とを有する。
【００５１】
取得モジュール１０は、番組コメント指示を取得するよう構成される。
【００５２】
処理モジュール１１は、番組コメント指示に従って事前準備されたデータベースから現在の番組に関する情報を抽出し、現在の番組に関する情報が番組コメントアドレスを有するか判断するよう構成される。
【００５３】
ネットワークモジュール１２は、情報がプログラムコメントアドレスを有する場合、ユーザがプログラムコメントアドレスに従って現在の番組に関するコメントを取得するか、又は現在の番組に関するコメントを行うように、番組コメントアドレスをユーザ装置の一部に送信するよう構成されるか、又は情報が番組コメントアドレスを有しない場合、ユーザ装置がサーバアドレスに従ってサーバとの接続を確立し、ユーザがユーザ装置を利用することによって現在の番組に関するコメントを行うことを可能にするように、情報においてサーバアドレスをユーザ装置の一部に送信するよう構成される。
【００５４】
さらに、事前準備されたデータベースは、サーバが番組情報と番組オーディオ及びビデオストリームとをスクランブル化及び符号化した後に形成される番組ストリームを格納する。
【００５５】
さらに、図４に示されるように、番組情報交換のための装置１は更に、ユーザ装置に対するパーミッション認証を実行し、パーミッション認証をパスしたユーザ装置のみと通信するよう構成される認証モジュール１３を有する。
【００５６】
さらに、取得モジュール１０は更に、ユーザが視聴する必要がある番組を示すのに用いられる番組指示を取得するよう構成される。
【００５７】
処理モジュール１１は更に、番組指示に従って事前準備されたデータベースから対応する番組オーディオ及びビデオストリームを抽出するよう構成される。
【００５８】
図５に示されるように、番組情報交換のための装置１は更に、
オーディオ及びビデオストリームに対してデスクランブル化及び復号化を実行するよう構成されるデスクランブル化及び復号化モジュール１４と、
デスクランブル化及び復号化されたオーディオ及びビデオストリームを出力するよう構成される出力モジュール１５と、
を有する。
【００５９】
本発明の実施例により提供される番組情報交換のための装置では、番組コメント指示が取得された後、現在の番組に関する情報が番組コメント指示に従って事前準備されたデータベースから抽出され、当該情報が番組コメントアドレスを含む場合、ユーザが番組コメントアドレスに従って現在の番組に関するコメントを取得するか、又は現在の番組に関するコメントを行うように、番組コメントアドレスがユーザ装置の一部に送信されるか、又は当該情報が番組コメントアドレスを含まない場合、ユーザ装置がサーバアドレスに従ってサーバとの接続を確立し、これにより、ユーザがユーザ装置を利用することによって現在の番組に関するコメントを行うことを可能にするように、当該情報においてサーバアドレスがユーザ装置の一部に送信される。当該手段によって、ユーザは、外部の入力デバイスを追加することなく、現在視聴されている番組に関するコメントをユーザ装置を利用することによって行うことが可能である。
【００６０】
図６に示されるように、本発明の実施例により提供される通信システムは、
番組コメント指示を取得した後、番組コメント指示に従って事前準備されたデータベースから現在の番組に関する情報を抽出し、当該情報が番組コメントアドレスを有する場合、ユーザが番組コメントアドレスに従って現在の番組に関するコメントを取得するか、又は現在の番組に関するコメントを行うように、番組コメントアドレスをユーザ装置の一部に送信するか、又は当該情報が番組コメントアドレスを有しない場合、ユーザ装置２がサーバアドレスに従ってサーバ３との接続を確立し、ユーザがユーザ装置２を利用することによって現在の番組に関するコメントを行うことを可能にするように、情報においてサーバアドレスをユーザ装置２に送信するよう構成される番組情報交換のための装置１と、
ユーザが番組コメントアドレスに従って現在の番組に関するコメントを取得するか、又は現在の番組に関するコメントを行うように、番組情報交換のための装置１から番組コメントアドレスを受信するか、又は番組情報交換のための装置１からサーバアドレスを受信し、サーバアドレスに従ってサーバ３との接続を確立し、ユーザがユーザ装置２を利用することによって現在の番組に関するコメントを行うことを可能にするよう構成されるユーザ装置２と、
ユーザ装置２との接続を確立し、ユーザがユーザ装置２を利用することによって現在の番組に関するコメントを行うことを可能にするよう構成されるサーバ３と、
を有する。
【００６１】
さらに、番組情報交換のための装置１は更に、ユーザ装置２に対するパーミッション認証を実行し、パーミッション認証をパスしたユーザ装置２のみと通信するよう構成される。
【００６２】
さらに、番組情報交換のための装置１は更に、ユーザが視聴する必要がある番組を示すのに利用される番組指示を取得した後、番組指示に従って事前準備されたデータベースから対応する番組オーディオ及びビデオストリームを抽出し、オーディオ及びビデオストリームに対してデスクランブル化及び復号化を実行し、デスクランブル化及び復号化されたオーディオ及びビデオストリームを出力するよう構成される。
【００６３】
本発明の実施例により提供される通信システムでは、番組コメント指示が取得された後、番組情報交換のための装置は、番組コメント指示に従って事前準備されたデータベースから現在の番組に関する情報を抽出し、当該情報が番組コメントアドレスを含む場合、ユーザが番組コメントアドレスに従って現在の番組に関するコメントを取得するか、又は現在の番組に関するコメントを行うように、番組コメントアドレスがユーザ装置の一部に送信されるか、又は当該情報が番組コメントアドレスを含まない場合、ユーザ装置がサーバアドレスに従ってサーバとの接続を確立し、これにより、ユーザがユーザ装置を利用することによって現在の番組に関するコメントを行うことを可能にするように、当該情報においてサーバアドレスがユーザ装置の一部に送信される。当該手段によって、ユーザは、外部の入力デバイスを追加することなく、現在視聴されている番組に関するコメントをユーザ装置を利用することによって行うことが可能である。
【００６４】
説明の簡単化及び簡潔化のため、上記機能モジュールの分割は説明のための一例として単に利用されていることが、当業者により明らかに理解されてもよい。実際上の適用では、上記機能は、必要に応じて実現のための異なる機能モジュールに配分可能である。すなわち、本装置の内部構造は、上述した機能の全て又は一部を実現するため異なる機能モジュールに分割される。上記システム、装置及びユニットの詳細なワーキングプロセスについて、ここでは再び説明される上記の方法の実施例における対応する処理が参照されてもよい。
【００６５】
本出願において提供される複数の実施例において、開示されたシステム、装置及び方法は他の方法により実現されてもよいことが理解されるべきである。例えば、開示された装置の実施例は単なる一例である。例えば、モジュール又はユニットの分割は、単なる論理的機能の分割であり、実際の実現形態においては他の分割方法があってもよい。例えば、複数のユニット又はコンポーネントが他のシステムに組み合わせ又は一体化されてもよく、又は一部の特徴は無視又は実行されなくてもよい。さらに、表示又は説明された相互結合又は直接的な結合又は通信接続は、あるインタフェース、装置又はユニットの間接的な結合又は通信接続により実現されてもよく、電子的、機械的又は他の形態によるものであってもよい。
【００６６】
別々のパーツとして説明されるユニットは、物理的に分離していてもよいし、又はそうでなくてもよく、ユニットとして表示されるパーツは、物理的ユニットであってもよいし、そうでなくてもよく、すなわち、１つの位置に配置されてもよいし、あるいは複数のネットワークユニットに分散されてもよい。これらのユニットの一部又は全ては、実施例の手段の課題を解決するための実際的なニーズに従って選択されてもよい。
【００６７】
さらに、本発明の実施例における機能ユニットは、１つの処理ユニットに一体化されてもよいし、あるいは、各ユニットは物理的に単独で存在してもよいし、あるいは、２以上のユニットが１つのユニットに一体化されてもよい。上述した一体化されたユニットは、ハードウェアの形態により実現されてもよいし、あるいは、ソフトウェア機能ユニットの形態により実現されてもよい。
【００６８】
一体化されたユニットがソフトウェア機能ユニットの形態により実現され、独立した製品として販売又は利用される場合、当該一体化されたユニットは、コンピュータ可読記憶媒体に格納されてもよい。このような理解に基づき、実質的な本発明の技術的手段、従来技術に貢献する部分又は技術的手段の全て又は一部は、記憶媒体に格納され、コンピュータ装置（パーソナルコンピュータ、サーバ、ネットワーク装置などであってもよい）又はプロセッサに本発明の実施例において説明された方法のステップの全て又は一部を実行するよう指示するための複数の命令を含む。上記記憶媒体は、ＵＳＢフラッシュドライブ、着脱可能なハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどのプログラムコードを格納可能な何れかの媒体を含む。
【００６９】
上記説明は、本発明の単なる特定の実現方法であり、本発明の保護範囲を限定することを意図するものでない。本発明に開示される技術的範囲内において当業者により容易に理解される何れかの変形又は置換は、本発明の保護範囲内に属する。従って、本発明の保護範囲は、請求項の保護範囲に従う。
【図１】
0005914706.tif 000002
【図２】
0005914706.tif 000003
【図３】
0005914706.tif 000004
【図４】
0005914706.tif 000005
【図５】
0005914706.tif 000006
【図６】
0005914706.tif 000007